【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
銀行券を識別するための読み取り装置／銀行券スキャナ（１７ａ〜１７ｃ）を備えて、輸送／保管の前に、および前記銀行券を受け取り時に、銀行券（２）を走査することにより、および、銀行券（２）が流通で用いられるときに、銀行券（２）を確認することにより、銀行券の輸送中または保管中などの強盗／盗難のリスクを少なくする、あるいは解消するコンピュータで実施される方法であって、
送り主（３）からの輸送前／輸送中、または送り主（３）のところで保管するとき、
ロックされることを意図される銀行券（２）を登録／読み取り／画像化するステップと、
前記銀行券（２）の識別情報を、いわゆる銀行券ＩＤに決定するステップと、
受取人（４）のところで送信の受取り／保管後、
ロック／再ロックされることを意図される銀行券（２）を登録／読み取り／画像化するステップと、
前記銀行券（２）の識別情報を、いわゆる銀行券ＩＤに決定するステップと、
銀行券が取り扱われる／流通する取引場所（６）で、銀行券（２）による購入が行われようとするとき、
流通する銀行券（２）を登録／読み取り／画像化するステップと、
前記銀行券（２）の識別情報を、いわゆる銀行券ＩＤに決定するステップと、
前記送り主（３）からの輸送前／輸送中、または前記送り主（３）のところで保管するとき、
受取人の識別情報（４）、口座情報など、予め決められている受取人（４）の情報、あるいは、キー、コード、および／または、前記銀行券（２）を取引可能にする、あるいは再ロックするために、満たされなければならないその他のロック解除条件（ＵＶ１）を含む第１の補足情報（Τ１）を、前記送り主（３）のところで、登録／生成するステップと、
少なくとも１つの銀行券の識別情報、および補足情報（Τ１）を含むロック／ブロック依頼（９ａ）を生成するステップと、
このロック依頼（９ａ）を中央サーバ（５）、および／またはローカルメモリ（２５ａ）に送信するステップであって、これにより、前記中央サーバ（５）内で前記銀行券（２）がロックされていると示される、ステップと、
前記受取人（４）のところで送信の受取り／保管後、
前記受取人（４）の識別情報、キー、コード、および／または、前記送り主（３）により指定される、あるいは中央サーバ（５）内で予め決められている、前記ロック解除条件（ＵＶ１）に満たす／一致することを意図される、前記銀行券（２）のロック解除証明（ＵＶ２）を提供するその他の情報のうちの少なくとも１つの情報を含む第２の補足情報（Ｔ２）を、登録／生成して、前記銀行券（２）を取引可能にする、あるいは再ロックするステップと、
少なくとも１つの銀行券（２）の識別情報および補足情報（Ｔ２）を含む、ロック解除／再ロック依頼（９ｂ〜９ｃ）を生成するステップと、
このロック解除／再ロック依頼（９ｂ〜９ｃ）を中央サーバ（５）、および／またはローカルメモリ（２５ｂ）に送信するステップと、
前記受取人（４）からの前記補足情報（Ｔ２）が、前記送り主（３）からの前記補足情報（Ｔ１）内に設定された条件（ＵＶ１）、および／または前記中央サーバ（５）内に格納されている予め決められた条件（ＵＶ１）を満たしているかチェックするステップであって、満たしている場合、前記中央サーバ（５）内で前記ロック解除／再ロック依頼（９ｂ〜９ｃ）が実行されるステップと、
銀行券が取り扱われる／流通する取引場所（６）で、銀行券（２）による購入が行われようとするとき、
存在する銀行券（２）が、ロックされているか、あるいは、取引可能かを、ローカルメモリユニット（２５ｃ）および／または前記中央サーバ（５）に依頼するステップと、
参照された依頼に対する回答が、前記参照された銀行券（２）が取引不能であることを示しているとき、銀行券が流通において受け取られることがないように、自動的にインジケータ／警報を起動させるなどの電子的／機械的な動作を引き起こし、かつ／または、前記銀行券（２）の受け取り／流通を防止するバリア／ブロック装置（２９ａ〜２９ｂ）を起動させるステップと、を含む方法。
【請求項２】
好ましくは前記中央サーバ（５）内で、前記銀行券（２）の識別情報に関連する／関する／と共に格納される明確な／暗黙のステータスを、その銀行券ＩＤに割り当てるステップであって、それらのステータスには、例えば、前記銀行券（２）が取引可能であること、取引不能であること、ブロックされていること、盗まれていること、または追跡のためマークを付けられていることなどが含まれる、ステップをさらに含む請求項１に記載の方法。
【請求項３】
好ましくは前記中央サーバ（５）で、前記銀行券（２）識別情報、すなわち、その銀行券ＩＤに関連する／関する／と共に格納されている前記明確な／暗黙の銀行券（２）のステータスをチェックして、前記銀行券（２）が、例えば、取引可能か、取引不能か、ロックされているか、盗まれているものか、あるいは、追跡のためにマークを付けられているかを判定するステップをさらに含む請求項１または２に記載の方法。
【請求項４】
前記銀行券（２）の輸送前、輸送中、前記銀行券（２）と共に、または輸送後、前記送り主（３）から前記受取人（４）へロック解除命令（８）を送信するステップであって、前記ロック解除命令は、前記銀行券（２）をロック解除／再ロックするために、ロック解除方法、および／または情報のタイプ、および／または前記受取人（３）が必要な情報を指定するステップをさらに含む請求項１〜３のいずれか一項に記載の方法。
【請求項５】
銀行券を識別するための読み取り装置／銀行券スキャナ（１７ａ）を備えて、送り主（３）のところで、前記銀行券（２）を取引で使用できないようにするために、銀行券（２）の輸送／保管前、および／または輸送／保管中に、１つ以上の銀行券（２）をロックするコンピュータで実施される方法であって、
輸送／保管前に／輸送／保管中に、前記送り主（３）のところで、銀行券（２）を登録／読み取り／画像化するステップと、
前記銀行券（２）の識別情報を、いわゆる銀行券ＩＤと決定するステップと、
受取人の識別情報（４）、口座情報など、予め決められている受取人（４）の情報、あるいは、キー、コード、および／または、前記銀行券（２）を取引可能にする、あるいは再ロックするために、満たされなければならないその他のロック解除条件（ＵＶ１）を含む第１の補足情報（Τ１）を、前記送り主（３）のところで、登録／生成するステップと、
少なくとも１つの銀行券の識別情報および補足情報（Ｔ１）を含むロック／ブロック依頼（９ａ）を生成するステップと、
中央サーバ（５）内で、前記銀行券（２）がロックされていると表示するために、このロック依頼（９ａ）を中央サーバ（５）、および／またはローカルメモリ（２５ａ）に送信するステップと、を含む方法。
【請求項６】
好ましくは前記中央サーバ（５）内で、前記銀行券（２）の識別情報に関連する／関する／と共に格納される明確な／暗黙のステータスを、その銀行券ＩＤに割り当てるステップであって、それらのステータスは、例えば、前記銀行券（２）が取引可能であること、取引不能であること、ロックされていること、盗まれていること、または追跡のためマークを付けられていることなどを意味する、ステップをさらに含む請求項５に記載の方法。
【請求項７】
前記銀行券（２）の輸送前、輸送中、前記銀行券（２）と共に、または輸送後、送り主（３）から前記受取人（４）へロック解除命令（８）を送信するステップであって、前記ロック解除命令は、前記銀行券（２）をロック解除／再ロックするために、ロック解除方法、および／または情報のタイプ、および／または前記受取人（３)が必要な情報を指定するステップをさらに含む請求項５または６に記載の方法。
【請求項８】
銀行券を識別するための読み取り装置／銀行券スキャナ（１７ｂ）を備えて、前記銀行券（２）の受け取り／保管の後に、前記銀行券（２）を取引可能にする／再ロックするために、受取人（４）のところで、１つ以上の銀行券（２）をロック解除／再ロックするコンピュータで実施される方法であって、
ロック／再ロックされることを意図される銀行券（２）を登録／読み取り／画像化するステップと、
前記銀行券（２）の識別情報を、いわゆる銀行券ＩＤに決定するステップと、
前記受取人（４）の識別情報、キー、コード、および／または、送り主（３）により指定される、あるいは中央サーバ（５）内で予め決められている、ロック解除条件（ＵＶ１）に満たす／一致することを意図される、前記銀行券（２）のロック解除証明（ＵＶ２）を提供するその他の情報のうちの少なくとも１つの情報を含む第２の補足情報（Ｔ２）を、前記受取人（４）のところで、登録／生成して、前記銀行券（２）を取引可能にする、あるいは再ロックするステップと、
少なくとも１つの銀行券（２）の識別情報および前記補足情報（Ｔ２）を含むロック解除／再ロック依頼（９ｂ〜９ｃ）を生成するステップと、
このロック解除／再ロック依頼（９ｂ〜９ｃ）を中央サーバ（５）、および／またはローカルメモリ（２５ｂ）に送信するステップと
前記受取人（４）からの前記補足情報（Ｔ２）が、前記送り主（３）からの前記補足情報（Ｔ１）内に設定されている前記条件（ＵＶ１）、および／または、前記中央サーバ（５）内に格納されている予め決められた条件（ＵＶ１）を満たしているかをチェックし、満たしていれば、前記中央サーバ（５）内で、前記ロック解除／再ロック依頼（９ｂ〜９ｃ）を実行するステップと、を含む方法。
【請求項９】
好ましくは前記中央サーバ（５）内で、前記銀行券（２）の識別情報に関連する／関する／と共に格納される明確な／暗黙のステータスを、その銀行券ＩＤに割り当てるステップであって、それらのステータスは、例えば、前記銀行券（２）が取引可能であること、取引不能であること、ロックされていること、盗まれていること、または追跡のためマークを付けられていることなどを意味する、ステップをさらに含む請求項８に記載の方法。
【請求項１０】
銀行券を識別するための読み取り装置、すなわち銀行券スキャナ（１７ｃ）、および警報／ロック／表示装置（２９ａ〜２９ｂ）を備えて、取引場所（６）で、前記銀行券（２）を流通させようと試みるとき、ローカルメモリユニット（２５ｃ）および／または中央サーバ（５）内で、銀行券（２）のステータスをチェックし、銀行券（２）をロック／ブロックするコンピュータで実施される方法であって、
前記銀行券（２）が、ブロックされているか、あるいは、取引可能かを依頼する、ステータス制御依頼（９ｄ）をローカルメモリユニット（２５ｃ）および／または中央サーバ（５）に生成／送信するステップと、
前記ステータス制御依頼（９ｄ）に対する応答が、前記銀行券（２）が取引不能であることを示している場合、自動的にインジケータ／警報を起動させるなどの電子的／機械的な動作を引き起こし、かつ／または、システム内の前記銀行券（２）の受け取り／流通を防止するバリア／ブロック装置（２９ａ〜２９ｂ）を起動させるステップと、
前記ステータス制御依頼（９ｄ）に対する応答が、前記銀行券（２）が取引可能であることを示している場合、前記銀行券（２）を受け入れるステップと、
取引可能であることが示された前記銀行券（２）である場合、少なくとも１つの銀行券の識別情報、および補足情報（Τ１）を含むロック／ブロック依頼（９ａ）を前記中央サーバ（５）および／またはローカルメモリ（２５ａ）に生成／送信するステップと、を含む方法。
【請求項１１】
前記銀行券（２）が、例えば、取引可能か、取引不能か、ロックされているか、盗まれたものか、または追跡のためマークを付けられているかことなどを判定するために、好ましくは前記中央サーバ（５）内で、前記銀行券（２）の識別情報、すなわちその銀行券ＩＤに関連する／関する／と共に格納される、明確な／暗黙の前記銀行券（２）のステータスをチェックするステップをさらに含む請求項１０に記載の方法。
【請求項１２】
銀行券（２）の輸送／保管前に、前記銀行券（２）を取引不能にするために、中央サーバ（５）内で、１つ以上の銀行券（２）をロックするコンピュータで実施される方法であって、
前記銀行券（２）の識別情報、前記銀行券ＩＤ、および補足情報（Ｔ１）を含むロック依頼（９ａ）を受け取るステップと、
前記銀行券（２）がロックされ／取引不能にする、前記補足情報（Ｔ１）および前記銀行券（２）の識別情報を前記中央サーバ（５）内に格納するステップであって、これにより、依頼を受けた前記中央サーバ（５）が、前記銀行券（２）がロックされ／取引不能にされる回答情報を提供し、自動的に表示／警報などの電子的／機械的な動作を引き起こし、かつ／または、ブロック装置（２９ａ〜２９ｂ）を起動させるステップと、含む方法。
【請求項１３】
前記銀行券（２）の識別情報、に関連する／関する／と共に格納される、明確な／暗黙のステータスをその銀行券ＩＤに割り当てるステップであって、それらのステータスは、例えば、前記銀行券（２）が取引可能であること、取引不能であること、ロックされていること、盗まれていること、または追跡のためマークを付けられていることを意味する、ステップをさらに含む請求項１２に記載の方法。
【請求項１４】
ロックするときに、少なくとも前記受取人（４）の識別情報、口座情報などの予め決められている受取人（４）の情報、あるいは、キー、コード、および／または、前記銀行券（２）を取引で使用可能にする、あるいは再ロックするために、一致しなくてはならない、その他のロック解除条件（ＵＶ１）を含む補足情報（Τ１）を格納するステップをさらに含む、請求項１２または１３に記載の方法。
【請求項１５】
前記銀行券（２）の受け取り／保管後に、前記銀行券を取引可能にする／再ロックするために、中央サーバ（５）内で１つ以上の銀行券（２）をロック解除／再ロックするコンピュータで実施される方法であって、
前記銀行券（２）の識別情報、前記銀行券ＩＤ、および補足情報（Ｔ２）を含むロック解除／再ロック依頼（９ｂ〜９ｃ）を受け取るステップと、
前記ロック解除／再ロック依頼（９ｂ〜９ｃ）内の前記補足情報（Ｔ２）が、前記参照される銀行券ＩＤに関する前記格納されている補足情報（Ｔ１）内の以前のロック依頼（９ａ）内で設定された前記条件（ＵＶ１）、および／または、前記中央サーバ（５）内に格納された、予め決められている条件（ＵＶ１）に一致していることをチェックするステップであって、一致している場合、前記銀行券がロック解除され／再ロックされる、ステップと、含む方法。
【請求項１６】
前記銀行券（２）の識別情報に関連する／関する／と共に格納される明確な／暗黙のステータスを、その銀行券ＩＤに割り当てるステップであって、それらのステータスは、例えば、前記銀行券（２）が取引可能であること、取引不能であること、ロックされていること、盗まれていること、または追跡のためマークを付けられていることを意味する、ステップをさらに含む請求項１５に記載の方法。
【請求項１７】
ロック解除／再ロックするとき、補足情報（Ｔ２）を受け取るステップであって、前記補足情報（Ｔ２）には、少なくとも前記受取人（４）の識別情報、キー、コードなどの情報、および／または、前記銀行券（２）を取引可能とするために、または再ロックするために、以前のロック依頼（９ａ）で示されている／格納されている、あるいは、前記中央サーバ（５）内に予め決められている、前記銀行券（２）のロック解除条件（ＵＶ１）に従う／一致するよう意図されるロック解除証明（ＵＶ２）を提供するその他の情報が含まれる、ステップをさらに含む請求項１５または１６に記載の方法。
【請求項１８】
銀行券を輸送／保管する前、および受け取るときに、前記銀行券（２）を走査することにより、かつ、流通において使用されるときに、前記銀行券（２）を確認することにより、例えば、銀行券の輸送中または保管中の強盗／盗難のリスクを少なくする、あるいは解消するシステムであって、
少なくとも１つのコンピュータ／プロセッサ（１９ａ〜１９ｃ）と、
少なくとも１つの通信装置（１８ａ〜１８ｃ）と、
送り主（３）のところで、銀行券を識別するための第１の読み取り装置（１７ａ）と、
受取人（４）のところで、銀行券を識別するための第２の読み取り装置（１７ｂ）と、
取引場所（６）のところで、銀行券を識別するための第３の読み取り装置（１７ｃ）と、
前記送り主（３）のところで、補足情報（Ｔ１）を登録するための第１の登録装置（２０ａ）と、
前記受取人（４）のところで、補足情報（Ｔ２）を登録するための第２の登録装置（２０ｂ）と、
少なくとも１つの警報／ブロック／表示装置（２９ａ〜２９ｂ）と、
少なくとも１つのローカルメモリユニット（２５ａ〜２５ｃ）と、
少なくとも１つの中央サーバ（５）と、を含み、
前記送り主（３）からの輸送前／輸送中、あるいは前記送り主（３）での保管中に、
銀行券を識別するための前記第１の読み取り装置（１７ａ）が、前記銀行券（２）の識別情報を、いわゆる銀行券ＩＤに決定するために、銀行券（２）を画像化／検知するよう構成され、
前記第１の登録装置（２０ａ）が、補足情報（Ｔ１）を登録／生成するよう構成され、
コンピュータ／プロセッサ（１９ａ）が、少なくとも１つの銀行券の識別情報、および補足情報（Ｔ１）を含むロック依頼（９ａ）を生成し、かつ、通信装置（１８ａ）を介して、参照される依頼（９ａ）を中央サーバ（５）および／またはローカルメモリ（２５ａ）に送信するよう構成され、これにより、前記中央サーバ（５）内で前記銀行券（２）がロックされていると示され、
前記受取人（４）のところで送信の受け取り／保管後、
銀行券を識別するための前記第２の読み取り装置（１７ｂ）が、銀行券の識別情報を、いわゆる銀行券ＩＤに確立するために、前記受け取られた銀行券（２）を画像化／検知するよう構成され、
前記第２の登録装置（２０ｂ）が、補足情報（Ｔ２）を登録／生成するよう適応され、
コンピュータ／プロセッサ（１９ｂ）が、少なくとも１つの銀行券の識別情報および補足情報（Ｔ２）を含むロック解除／再ロック依頼（９ｂ〜９ｃ）を生成し、通信装置（１８ｂ）を介して、この依頼（９ｂ〜９ｃ）を中央サーバ（５）、および／またはローカルメモリ（２５ｂ）に送信するよう構成され、
前記中央サーバ（５）が、前記受取人（４）からの前記補足情報（Ｔ２）が、前記送り主（３）からの前記補足情報（Τ１）内で設定された条件（ＵＶ１）、および／または前記中央サーバ（５）内に格納されている予め決められた前記条件（ＵＶ１）を満たす／一致していることをチェックし、一致している場合、前記ロック解除／再ロック依頼（９ｂ〜９ｃ）を実行するよう構成され、
取引場所（６）で銀行券（２）を流通させようとするとき、
銀行券を識別するための前記第３の読み取り装置（１７ｃ）が、銀行券の識別情報を、いわゆる銀行券ＩＤに確立するために、前記取引場所（６）で、前記受け取った銀行券（２）を画像化／検知するよう構成され、
コンピュータ／プロセッサ（１９ｃ）が、前記銀行券（２）の識別情報を、前記銀行券（２）、および前記ローカルメモリユニット（２５ｃ）内の前記銀行券（２）の明確な／暗黙のステータスに関する、前記格納されている情報と照合し、かつ／または、通信装置（１８ｃ）を介して、前記銀行券（２）が取引可能か取引不能かどうかを前記中央サーバ（５）に依頼するよう構成され、
機械的／電子的な警報装置／ロック装置／表示装置（２９ａ〜２９ｂ）が、表示および／または警報を発し、かつ／または、前記銀行券（２）の識別情報が、前記ローカルメモリユニット（２５ｃ）および／または前記中央サーバ（５）内で見つかり、前記銀行券（２）のステータスが、前記銀行券（２）が取引不能であることを示しているとき、前記銀行券（２）の受け取り／流通を防止するブロック装置を起動させるよう構成される、システム。
【請求項１９】
銀行券（２）の輸送／保管前に、あるいは輸送／保管中に、前記銀行券（２）を取引不能にするために、送り主（３）のところで、１つ以上の銀行券（２）をロックするシステムであって、
コンピュータ／プロセッサ（１９ａ）と、
通信装置（１８ａ）と、
銀行券を識別するための読み取り装置（１７ａ）と、
補足情報（Τ１）のための登録装置（２０ａ）と、を含み、
銀行券を識別するための前記読み取り装置（１７ａ）が、銀行券（２）の識別情報を、いわゆる銀行券ＩＤに確立するために、銀行券（２）を画像化／検知するよう構成され、
前記登録装置（２０ａ）が、補足情報（Ｔ１）を登録／生成するよう構成され、
コンピュータ／プロセッサ（１９ａ）が、少なくとも１つの銀行券の識別情報および補足情報（Ｔ１）を含むロック依頼（９ａ）を生成し、通信装置（１８ａ）を介して、参照される依頼（９ａ）を中央サーバ（５）および／またはローカルメモリ（２５ａ）に送信するよう構成され、これにより、前記中央サーバ（５）内で前記銀行券（２）がロックされなければならないことを示す、システム。
【請求項２０】
銀行券（２）の受け取り／保管後、銀行券（２）を取引可能／再ロックするために、受取人（４）のところで、１つ以上の前記銀行券（２）をロック解除／再ロックするシステムであって、
コンピュータ／プロセッサ（１９ｂ）と、
通信装置（１８ｂ）と、
銀行券を識別するための読み取り装置（１７ｂ）と、
補足情報（Ｔ２）を登録するための登録装置（２０ｂ）と、を含み、
銀行券を識別するための前記読み取り装置（１７ｂ）が、銀行券の識別情報を、いわゆる銀行券ＩＤに確立するために、前記受け取った銀行券（２）を画像化／検知するよう構成され、
前記登録装置（２０ｂ）が、補足情報（Ｔ２）を登録／生成するよう構成され、
コンピュータ／プロセッサ（１９ｂ）が、少なくとも１つの銀行券の識別情報および補足情報（Ｔ２）を含むロック解除／再ロック依頼（９ｂ〜９ｃ）を生成し、前記受取人（４）からの前記補足情報（Ｔ２）が、送り主（３）からの前記補足情報（Ｔ１）内、および／または、中央サーバ（５）内に格納されている前記予め決められた条件（ＵＶ１）内に設定された前記条件（ＵＶ１）に満たす／一致しているかどうかをチェックするために、通信装置（１８ｂ）を介して、この依頼（９ｂ〜９ｃ）を、前記中央サーバ（５）、および／またはローカルメモリ（２５ｂ）に送信し、一致している場合、前記中央サーバ（５）内で、前記ロック解除／再ロック依頼（９ｂ〜９ｃ）を行うよう構成される、システム。
【請求項２１】
取引場所（６）で、銀行券（２）が流通されようするとき、ローカルメモリユニット（２５ｃ）および／または中央サーバ（５）内の前記銀行券（２）のステータスをチェックし、前記銀行券（２）をロック／ブロックするシステムであって、銀行券の識別のための読み取り装置、すなわち銀行券スキャナ（１７ｃ）と、コンピュータ／プロセッサ（１９ｃ）と、通信装置（１８ｃ）と、少なくとも１つの警報装置／ロック装置／表示装置（２９ａ〜２９ｂ）と、を含み、
前記読み取り装置（１７ｃ）が、銀行券の識別情報を、いわゆる銀行券ＩＤに確立するために、前記取引場所（６）で、受け取った銀行券（２）を画像化／検知するよう構成され、
前記コンピュータ／プロセッサ（１９ｃ）が、前記銀行券（２）が、ブロックされているか、あるいは、取引可能かを依頼する、ローカルメモリユニット（２５ｃ）および／または中央サーバ（５）に送信するステータス制御依頼（９ｄ）を生成するよう構成され、
前記ステータス制御依頼（９ｄ）に対する応答が、前記銀行券（２）が取引不能であることを示している場合、例えば、インジケータ／警報を起動、かつ／または、システム内の前記銀行券（２）の受け取り／流通を防止するバリア／ブロック装置（２９ａ〜２９ｂ）を起動させるなどの電子的／機械的な動作を自動的に引き起こし、
前記制御依頼（９ｄ）に対する応答が、前記銀行券（２）が取引可能であることを示している場合、システムは、前記銀行券（２）を受け入れるよう構成され、
取引可能であることが示された前記銀行券（２）である場合、前記コンピュータ／プロセッサ（１９ｃ）が、前記中央サーバ（５）および／またはローカルメモリ（２５ａ）に送信する、少なくとも１つの銀行券の識別情報、および補足情報（Τ１）を含むロック／ブロック依頼（９ａ）を生成するよう構成される、システム。
【請求項２２】
取引場所（６）で、銀行券（２）を流通させようするとき、前記銀行券（２）のステータスをチェックし、前記銀行券（２）をロック／ブロックする装置であって、読み取り装置、すなわち銀行券スキャナ（１７ｃ）と、コンピュータ／プロセッサ（１９ｃ）と、通信装置（１８ｃ）と、を含み、
前記読み取り装置（１７ｃ）が、銀行券の識別情報を確立するために、受け取った銀行券（２）を画像化／検知するよう構成され、
前記コンピュータ／プロセッサ（１９ｃ）が、前記銀行券（２）が、ブロックされているか、あるいは、取引可能かを依頼する、ローカルメモリ（２５ｃ）および／または中央サーバ（５）に送信するステータス制御依頼（９ｄ）を生成するよう構成され、
前記コンピュータ／プロセッサ（１９ｃ）は、前記銀行券（２）が取引可能であることを示している場合、ローカルメモリユニット（２５ｃ）および／または前記中央サーバ（５）に送信する少なくとも銀行券の識別情報、および補足情報（Τ１）を含むロック／ブロック依頼（９ａ）を生成するよう構成され、
前記装置は、前記ステータス制御依頼（９ｄ）に対する応答が、前記銀行券（２）が取引可能であることを示している場合、前記銀行券（２）を受け入れるよう構成され、
電子的／機械的装置（２９ａ〜２９ｂ）は、前記ステータス制御依頼（９ｄ）に対する応答が、前記銀行券（２）が取引不能であることを示している場合、例えば、インジケータ／警報を起動、かつ／または、前記銀行券（２）の受け取り／流通を防止するバリア／ブロック装置（２９ａ〜２９ｂ）の起動が自動的に引き起こされるよう構成される、装置。
【手続補正２】
【補正対象書類名】明細書
【補正対象項目名】００６５
【補正方法】変更
【補正の内容】
【００６５】
これらの目的は、主に請求項１、１８、および２２の特徴に従った、本発明の方法、システムおよび装置により実現される。
【手続補正３】
【補正対象書類名】明細書
【補正対象項目名】０１５１
【補正方法】変更
【補正の内容】
【０１５１】
この中央サーバ５は、コンピュータ１６、複数のコンピュータ、クラウドサービスなどでよい。この中央サーバ５は、通信ユニット１８ｃを含む、あるいは通信ユニット１８ｃに接続する。この中央サーバ５は、銀行券２の送り主３、および／または受取人４と情報をやり取りするよう構成される。この中央サーバ５は、データベースなどの中央メモリ２６に情報を格納するよう適用される。送り主３から送信される情報は、通常、１つ以上の銀行券ＩＤをロックすることを目的とするサービス依頼７ａに関与する。受取人４から送信される情報は、通常、１つ以上の銀行券ＩＤをロック解除することを目的とするサービス依頼７ｂに関与する。サービス依頼７ａ、ロック依頼９ａ内の情報には、通常、第１の補足情報Ｔ１が含まれ、この補足情報Ｔ１は、ロック解除方法ＵＳ１およびロック解除情報Ｕ１を示し、これらが共にロック解除条件ＵＶ１を形成する。ロック解除依頼９ｂ内の情報には、通常、第２の補足情報Ｔ２が含まれ、この第２の補足情報Ｔ２は、ロック解除方法ＵＳ２およびロック解除一致情報Ｕ２を示し、これらが共にロック解除証明ＵＶ２を形成する。ロック解除依頼９ｂが実行されるためには、ＵＶ２からのロック解除一致情報Ｕ２は、ＵＶ１からのロック解除情報Ｕ１と一致しなくてはならず、ロック解除方法ＵＳ２は、ロック解除方法ＵＳ１と一致しなくてはならない。
【手続補正４】
【補正対象書類名】明細書
【補正対象項目名】０１５８
【補正方法】変更
【補正の内容】
【０１５８】
輸送された銀行券を受け取った後、あるいは、保管期間終了後、受取人４は、以下の方法のステップを実行する。：
ロック解除される銀行券２を記録／読み取り／画像化する。
銀行券２の識別情報を、いわゆる、銀行券ＩＤに決定する。
受取人４のところで／受取人４により、第２の補足情報Ｔ２を登録／生成する。尚この第２の補足情報Ｔ２には、少なくとも受取人４の識別情報に関する情報、キー、コード、および／または、ロック解除証明ＵＶ２を構成するその他の情報が含まれ、このロック解除証明ＵＶ２は、銀行券２をロック解除するために、あるいは、銀行券２を再ロックするために、送り主３により規定される、あるいは、中央サーバ５内で予め決められている、銀行券２のロック解除条件ＵＶ１を実行する／ロック解除条件ＵＶ１と一致するよう意図される。
少なくとも１つの銀行券ＩＤなどの銀行券２の識別情報、および補足情報Ｔ２を含むロック解除依頼／再ロック依頼９ｂ〜９ｃを生成する。
ロック解除依頼／再ロック依頼９ｂ〜９ｃを中央サーバ５、および／またはローカルメモリ２５ｂに送信する。
銀行券ＩＤなどの銀行券２の識別情報、および補足情報Ｔ２を含むロック解除依頼／再ロック依頼９ｂ〜９ｃを中央サーバ５内で受け取る。
中央サーバ５により／中央サーバ５内で、受取人４からの補足情報Ｔ２が、送り主３からの／送り主３による補足情報Ｔ１内で予め規定されたロック解除条件ＵＶ１を満たしているか／ロック解除条件ＵＶ１と一致しているか、かつ／または、中央サーバ５内に格納されている、予め決められている条件を満たしているかをチェックし、これらの条件が一致している場合、中央サーバ５内でロック依頼／再ロック依頼９ｂ〜９ｃを実行する。
好ましくは、中央サーバ５内で、銀行券２の識別情報に関連する／関する／と共に格納される、明確／暗黙のステータスを、その銀行券ＩＤなどに割り当てる。尚、それらのステータスには、例えば、銀行券２が取引可能であること、取引不能であること、ロックされていること、盗まれていると通知されていること、あるいは追跡／トレースのために、または銀行券ＩＤの削除によりマークを付けられていることなどがある。